(57)【要約】      （修正有）【課題】サイズの異なるボトルを一つで兼用して良好に収納することができ、しかも、このサイズ変更する操作が簡易且つ迅速に行えるボトルホルダーを提供する。【解決手段】ボトル１を収納するボトルホルダーであって、全体長が軸芯方向に伸縮自在となる筒状のホルダー本体２を設け、このホルダー本体２の胴周部に、前記ホルダー本体２の周方向に紐通し部３を並設してなる複数の紐通し部列３Ａ，３Ｂを前記ホルダー本体２の軸芯方向に並設する。さらに、一の前記紐通し部列３Ａの紐通し部３と他の前記紐通し部列３Ｂの紐通し部３との間に紐体４が架設されるように各紐通し部３に該紐体４を通して、この紐体４を前記ホルダー本体２の周方向に蛇行状に巻回配設する。【選択図】図３
0003172356.tif 000002
【実用新案登録請求の範囲】
【請求項１】
ボトルを収納するボトルホルダーであって、全体長が軸芯方向に伸縮自在となる筒状のホルダー本体を設け、このホルダー本体の胴周部に、前記ホルダー本体の周方向に紐通し部を並設してなる複数の紐通し部列を前記ホルダー本体の軸芯方向に並設し、一の前記紐通し部列の紐通し部と他の前記紐通し部列の紐通し部との間に紐体が架設されるように各紐通し部に該紐体を通して、この紐体を前記ホルダー本体の周方向に蛇行状に巻回配設する構成とし、前記紐体を引動した際、前記ホルダー本体の軸芯方向に間隔をおいて設けた前記紐通し部同士が相対接近移動することに伴い、前記ホルダー本体の全体長が軸芯方向に縮動するように構成したことを特徴とするボトルホルダー。
【請求項２】
前記ホルダー本体の胴周部にして、前記ホルダー本体の軸芯方向に並設される一の前記紐通し部列と他の前記紐通し部列との間の部位を、素材の変形により折れ曲げ自在となる折れ曲げ自在構造、若しくは、径小筒体に対して径大筒体をスライド自在に被嵌連結して成るスライド自在構造として、全体長が軸芯方向に伸縮自在となるように前記ホルダー本体を構成したことを特徴とする請求項１記載のボトルホルダー。
【請求項３】
前記紐通し部を、前記ホルダー本体の胴周部に該ホルダー本体を囲むように環状に並設して前記紐通し部列は構成されていることを特徴とする請求項１，２のいずれか１項に記載のボトルホルダー。
【請求項４】
一の前記紐通し部列の紐通し部と他の前記紐通し部列の紐通し部とは、互いに前記ホルダー本体の周方向に互い違いの位置に設けられていることを特徴とする請求項１〜３のいずれか１項に記載のボトルホルダー。
【請求項５】
前記紐体は、前記ホルダー本体の胴周部全域にして該ホルダー本体の周方向に巻回状態に設けられていることを特徴とする請求項１〜４のいずれか１項に記載のボトルホルダー。
【請求項６】
前記紐通し列部は、前記ホルダー本体の胴周部にして該ホルダー本体の軸芯方向の対向位置に被嵌する被嵌体夫々に紐通し部を並設した構成とし、前記紐体を引動した際、前記ホルダー本体の軸芯方向に間隔をおいて設けた前記紐通し部同士が相対接近移動することに伴い、前記被嵌体同士が相対接近移動することで、前記ホルダー本体の全体長が軸芯方向に縮動するように構成したことを特徴とする請求項１〜５のいずれか１項に記載のボトルホルダー。
【請求項７】
前記ホルダー本体は径方向に拡縮自在に設けられ、前記紐体を引動した際、前記ホルダー本体は前記紐体により絞られて縮径するように構成されていることを特徴とする請求項１〜６のいずれか１項に記載のボトルホルダー。
【請求項８】
前記紐体には、前記紐通し部に係止することで引動した前記紐体が戻り動するのを阻止する係止部材が設けられ、この係止部材は前記紐体の長さ方向に移動自在に設けられていることを特徴とする請求項１〜７のいずれか１項に記載のボトルホルダー。
【請求項９】
前記ホルダー本体の端部には、ボトルを出し入れするための開口部が設けられ、この開口部には絞り紐体が添設状態に巻回され、この絞り紐体を引動した際、前記開口部は前記絞り紐体に絞られて縮径するように構成されていることを特徴とする請求項１〜８のいずれか１項に記載のボトルホルダー。
【考案の詳細な説明】
【技術分野】
【０００１】
本考案は、例えば飲料を詰入するガラス瓶やペットボトルなどのボトルを収納するボトルホルダーに関するものである。
【背景技術】
【０００２】
従来から、例えば飲料を詰入するガラス瓶やペットボトルなどのボトルを携帯する際に収納するボトルホルダーとして、適宜な柔軟性を有する部材を有底筒状に形成したタイプのものが提案されており、このボトルホルダーおけるボトル収納口としての上部開口部は縮径自在に設けられ、ボトルの飲み口部だけ外部に露出した状態で保持収納できるよう構成されている。尚、このホルダー本体の内面には断熱層が設けられ、保冷温構造となっている。
【０００３】
ところで、ボトルには内容量（例えば５００ｍｌや３５０ｍｌなど）に応じて長短様々なサイズがあり、これら異なるサイズごとのボトルホルダーも用意されているが、実際、サイズの異なる複数のボトルホルダーを所持するのは煩わしく、とは言え、大きなサイズ専用のボトルホルダーに小さなサイズのボトルを収納すると、ボトルの飲み口部が隠れてしまい使い勝手が悪く、しかも、収納したボトルが動いて携帯性が悪い。
【０００４】
そこで、従来においても、サイズの異なるボトルを一つで兼用して良好に収納することができるようにすべく、例えば実用新案登録第３１４４０２６号に提案されるようなボトルホルダー（以下、従来例）が提案されている。
【０００５】
この従来例は、ホルダー本体の筒部の上下方向の下部範囲を長短寸法調節筒部とし、この長短寸法調節筒部の筒部周方向に沿う上限周縁部と下限周縁部を上下方向に離間させた開状態と、上限周縁部と下限周縁部を上下方向に接合した閉じ状態に開閉可能とするスライドファスナーを上限周縁部と下限周縁部の筒部周方向における表面側の対応位置に装着したものであり、収納しようとする内容量の異なるボトルの長短サイズに合わせて簡単かつ確実にサイズ変更できるものである。
【先行技術文献】
【特許文献】
【０００６】
【特許文献１】実用新案登録第３１４４０２６号公報
【考案の概要】
【考案が解決しようとする課題】
【０００７】
本考案者は、前述したサイズ変更できるボトルホルダーに関して更なる研究開発を進め、その結果、従来にない作用効果を発揮する非常に実用的なボトルホルダーを考案した。
【課題を解決するための手段】
【０００８】
添付図面を参照して本考案の要旨を説明する。
【０００９】
ボトル１を収納するボトルホルダーであって、全体長が軸芯方向に伸縮自在となる筒状のホルダー本体２を設け、このホルダー本体２の胴周部に、前記ホルダー本体２の周方向に紐通し部３を並設してなる複数の紐通し部列３Ａ，３Ｂを前記ホルダー本体２の軸芯方向に並設し、一の前記紐通し部列３Ａの紐通し部３と他の前記紐通し部列３Ｂの紐通し部３との間に紐体４が架設されるように各紐通し部３に該紐体４を通して、この紐体４を前記ホルダー本体２の周方向に蛇行状に巻回配設する構成とし、前記紐体４を引動した際、前記ホルダー本体２の軸芯方向に間隔をおいて設けた前記紐通し部３同士が相対接近移動することに伴い、前記ホルダー本体２の全体長が軸芯方向に縮動するように構成したことを特徴とするボトルホルダーに係るものである。
【００１０】
また、前記ホルダー本体２の胴周部にして、前記ホルダー本体２の軸芯方向に並設される一の前記紐通し部列３Ａと他の前記紐通し部列３Ｂとの間の部位Ｐを、素材の変形により折れ曲げ自在となる折れ曲げ自在構造、若しくは、径小筒体に対して径大筒体をスライド自在に被嵌連結して成るスライド自在構造として、全体長が軸芯方向に伸縮自在となるように前記ホルダー本体２を構成したことを特徴とする請求項１記載のボトルホルダーに係るものである。
【００１１】
また、前記紐通し部３を、前記ホルダー本体２の胴周部に該ホルダー本体２を囲むように環状に並設して前記紐通し部列３Ａ，３Ｂは構成されていることを特徴とする請求項１，２のいずれか１項に記載のボトルホルダーに係るものである。
【００１２】
また、一の前記紐通し部列３Ａの紐通し部３と他の前記紐通し部列３Ｂの紐通し部３とは、互いに前記ホルダー本体２の周方向に互い違いの位置に設けられていることを特徴とする請求項１〜３のいずれか１項に記載のボトルホルダーに係るものである。
【００１３】
また、前記紐体４は、前記ホルダー本体２の胴周部全域にして該ホルダー本体２の周方向に巻回状態に設けられていることを特徴とする請求項１〜４のいずれか１項に記載のボトルホルダーに係るものである。
【００１４】
また、前記紐通し列部３Ａ，３Ｂは、前記ホルダー本体２の胴周部にして該ホルダー本体２の軸芯方向の対向位置に被嵌する被嵌体５，５夫々に紐通し部３を並設した構成とし、前記紐体４を引動した際、前記ホルダー本体２の軸芯方向に間隔をおいて設けた前記紐通し部３同士が相対接近移動することに伴い、前記被嵌体５，５同士が相対接近移動することで、前記ホルダー本体２の全体長が軸芯方向に縮動するように構成したことを特徴とする請求項１〜５のいずれか１項に記載のボトルホルダーに係るものである。
【００１５】
また、前記ホルダー本体２は径方向に拡縮自在に設けられ、前記紐体４を引動した際、前記ホルダー本体２は前記紐体４により絞られて縮径するように構成されていることを特徴とする請求項１〜６のいずれか１項に記載のボトルホルダーに係るものである。
【００１６】
また、前記紐体４には、前記紐通し部３に係止することで引動した前記紐体４が戻り動するのを阻止する係止部材６が設けられ、この係止部材６は前記紐体４の長さ方向に移動自在に設けられていることを特徴とする請求項１〜７のいずれか１項に記載のボトルホルダーに係るものである。
【００１７】
また、前記ホルダー本体２の端部には、ボトル１を出し入れするための開口部２ａが設けられ、この開口部２ａには絞り紐体７が添設状態に巻回され、この絞り紐体７を引動した際、前記開口部２ａは前記絞り紐体７に絞られて縮径するように構成されていることを特徴とする請求項１〜８のいずれか１項に記載のボトルホルダーに係るものである。
【考案の効果】
【００１８】
本考案は上述のように構成したから、サイズの異なるボトルを一つで兼用して良好に収納することができ、しかも、このサイズ変更する操作が極めて簡易且つ迅速に行えることになるなど、従来にない作用効果を発揮する非常に実用的なボトルホルダーとなる。
【００１９】
また、請求項２記載の考案においては、簡易且つ確実に前述した作用効果が発揮されることになるなど、従来にない作用効果を発揮する非常に実用的なボトルホルダーとなる。
【００２０】
また、請求項３記載の考案においては、ホルダー本体の周囲に配された紐通し部が移動してホルダー本体をバランスよく縮動させることになるから、ホルダー本体を良好に縮動させることができることになるなど、従来にない作用効果を発揮する非常に実用的なボトルホルダーとなる。
【００２１】
また、請求項４，５記載の考案においては、より一層ホルダー本体を良好に縮動させることができることになるなど、従来にない作用効果を発揮する非常に実用的なボトルホルダーとなる。
【００２２】
また、請求項６記載の考案においては、前述した秀れた作用効果が簡易構造で得られ、コスト安にして量産性に秀れることになるなど、従来にない作用効果を発揮する非常に実用的なボトルホルダーとなる。
【００２３】
また、請求項７記載の考案においては、紐体の引動によりホルダー本体の縮動及び縮径が一連の操作の中で行われることになり、軸芯方向のサイズ変更に加え、径方向のサイズ変更にも効率良く対応することができるなど、従来にない作用効果を発揮する非常に実用的なボトルホルダーとなる。
【００２４】
また、請求項８記載の考案においては、ホルダー本体を縮動させた状態を確実に維持することができるなど、従来にない作用効果を発揮する非常に実用的なボトルホルダーとなる。
【００２５】
また、請求項９記載の考案においては、ボトルに対する良好なホールド状態が得られることになるなど、従来にない作用効果を発揮する非常に実用的なボトルホルダーとなる。
【図面の簡単な説明】
【００２６】
【図１】本実施例を示す斜視図である。
【図２】本実施例に係る要部を示す斜視図である。
【図３】本実施例の使用状態説明図である。
【図４】本実施例の動作説明図である。
【図５】本実施例の動作説明図である。
【考案を実施するための形態】
【００２７】
好適と考える本考案の実施形態（考案をどのように実施するか）を、図面に基づいて本考案の作用を示して簡単に説明する。
【００２８】
ボトル１を収納する際、このボトル１のサイズに合わせてホルダー本体２の全体長の長さを調整する。
【００２９】
具体的には、例えばホルダー本体２を最も伸ばした状態（全体長を長くした状態）において最適となる大きなサイズのボトル１に比して、小さなサイズのボトル１をホルダー本体２に収納する場合、紐体４を引動してホルダー本体２を軸芯方向に縮動させる。
【００３０】
即ち、ホルダー本体２の周方向に蛇行状に巻回配設される紐体４を引動すると、紐体４は蛇行状からストレート状になろうとするが、この紐体４の動きに合わせてホルダー本体２の軸芯方向に間隔をおいて設けた紐通し部３同士が相対接近移動することになり、よって、ホルダー本体２は軸芯方向に縮動する。
【００３１】
また、例えばその後、大きなサイズのボトル１を収納する場合には、この軸芯方向に縮んだ状態のホルダー本体２を伸動させる。この際、このホルダー本体２の伸動により、ホルダー本体２の軸芯方向に間隔をおいて設けた紐通し部３同士は相対離反移動することになり、この互いに離反する紐通し部３により引っ張られて例えばストレート状若しくは小さな蛇行状となっていた紐体４は再び大きな蛇行状となる。つまり、紐体４を引動すればホルダー本体２を縮動できる状態に戻ることになる。
【実施例】
【００３２】
本考案の具体的な一実施例について図面に基づいて説明する。
【００３３】
本実施例は、ボトル１を収納するボトルホルダーである。
【００３４】
尚、ボトル１は、一端部（上端部）にキャップを開閉自在に設けた飲み口部１ａを有する有底筒状の合成樹脂製ボトル（細長容器）であり、本実施例では飲料を詰入するペットボトルであるが、例えばガラス瓶やアルミボトルでも良いなど、本実施例の特性を発揮するものであれば適宜採用し得るものである。
【００３５】
以下、本実施例に係る構成各部について詳細な説明をする。
【００３６】
ホルダー本体２は、図１に図示したように適宜な柔軟性を有する合成樹脂製素材（例えばナイロン）で形成した有底筒状体であり、本実施例では、このホルダー本体２の全体長を最大長に伸ばした状態において５００ｍｌのペットボトルを収納にするに最適なサイズ（長さ及び径）に形成されている。即ち、ホルダー本体２に収納したボトル１の飲み口部１ａが開口部２ａから露出した状態となるサイズであり、ボトル１を個々に保持収納するものである。
【００３７】
また、ホルダー本体２は、柔軟性を有する素材で構成される為、この素材の変形（シワがよる変形や蛇腹状に折れ曲がる変形など）により折れ曲げ自在となる折れ曲げ自在構造を具備している。
【００３８】
従って、ホルダー本体２は、この折れ曲げ自在構造により全体長が軸芯方向（上下長さ方向）に伸縮自在となる。
【００３９】
尚、このホルダー本体２の全体長が軸芯方向に伸縮自在となる伸縮構造として、後述するホルダー本体２の軸芯方向に並設される一の紐通し部列３Ａと他の紐通し部列３Ｂとの間の部位Ｐだけを伸縮構造としても良く、また、径小筒体に対して径大筒体をスライド自在に被嵌連結して成るスライド自在構造としても良い。
【００４０】
また、ホルダー本体２の内面には断熱層（アルミラミネートフィルム）が貼設されており、よって、ホルダー本体２は秀れた断熱構造（保冷温機能）を具備している。
【００４１】
また、ホルダー本体２の胴周部には、ホルダー本体２の周方向に紐通し部３を並設してなる複数（一対）の紐通し部列３Ａ，３Ｂをホルダー本体２の軸芯方向に並設し、一の紐通し部列３Ａの紐通し部３と他の紐通し部列３Ｂの紐通し部３との間に紐体４が架設されるように各紐通し部３に紐体４を通して、この紐体４をホルダー本体２の周方向に蛇行状に巻回配設する構成とし、紐体４を引動した際、ホルダー本体２の軸芯方向に間隔をおいて設けた紐通し部３同士が相対接近移動することに伴い、ホルダー本体２の全体長が軸芯方向に縮動するように構成している。
【００４２】
具体的には、紐通し列部３Ａ，３Ｂは、図２に図示したように合成樹脂製の帯片を環状に折り返した紐通し部３をホルダー本体２の軸芯方向における上下対向位置に被嵌する一対の被嵌体５，５夫々に並設して構成されている。
【００４３】
被嵌体５，５は、合成樹脂製の帯状体であり、この各被嵌体５，５夫々の長さ方向に紐通し部３を、ホルダー本体２の胴周部に該ホルダー本体２を囲むように環状に並設して紐通し部列３Ａ，３Ｂ夫々は構成されており、更に、上方の紐通し部列３Ａの紐通し部３と下方の紐通し部列３Ｂの紐通し部３とは、互いにホルダー本体２の周方向に互い違いの位置に設けられている。
【００４４】
従って、紐体４を引動した際、ホルダー本体２の周囲に蛇行状に巻回状態となる紐体４がストレート状になろうとすることで、ホルダー本体２の軸芯方向に間隔をおいて設けた紐通し部３同士が相対接近移動することになり、これに伴い、上下に対向する一対の被嵌体５，５同士が相対接近移動することで、ホルダー本体２の周壁部にして上下の紐通し部列３Ａ，３Ｂ同士の間の部位Ｐが折れ曲がることでホルダー本体２の全体長が軸芯方向に縮動することになる。本実施例では、この被嵌体５を介することで紐通し部３を引っ張る力がホルダー本体２にバランス良く作用して当該ホルダー本体２は軸芯方向に良好に縮動することになる。
【００４５】
尚、本実施例では、紐通し部３は胴周部の外面に被嵌体５を介さず直接設けても良く、また、胴周部の内部（例えば胴周部を構成する外層と内層との間）に隠蔽状態に設けても良く、また、紐通し部３は孔に限らず一部が開口したフック状のものでも良く、また、ローラーを設けて滑車タイプとしても良い。
【００４６】
紐体は、図１，２に図示したように適宜な合成樹脂製の繊維で形成された柔軟長尺体であり、ホルダー本体２の胴周部全域にして該ホルダー本体２の周方向に一周分だけ巻回状態に設けられ、その両端側の部位はホルダー本体２の正面部で係止部材６を介して束ね状態とされている。尚、この巻回状態とは、本実施例ではホルダー本体２の全周（全域）にかけて巻回される構造であるが、全周に限らず、例えば半周だけ巻回される構造も含む広義の意味である。
【００４７】
この係止部材６は、紐体４に対して該紐体４の長さ方向にスライド移動自在であり、この移動させた位置で固定状態となるように構成され、また、この係止部材６は紐通し部３よりも径大に設けられている。
【００４８】
従って、本実施例は、この紐体４の束ねた部分を引動操作することで、ホルダー本体２を縮動させることができ、この紐体４を引動した状態で係止部材６を紐通し部３に係止させることで、この引動した紐体４が戻り動するのを阻止することができ、つまり、ホルダー本体２の全体長を縮動させた状態を保持することができる。
【００４９】
また、本実施例は、ホルダー本体２の端部には、ボトル１を出し入れするための開口部２ａが設けられ、この開口部２ａには絞り紐体７が添設状態に巻回され、この絞り紐体７を引動した際、開口部２ａは絞り紐体７に絞られて縮径するように構成されている。
【００５０】
また、この絞り紐体７には、該絞り紐体７の両端部側の位置を束ね状態とし、絞り紐体７に対してスライド移動させた位置で固定状態となる係止部材８が設けられ、この係止部材８は開口部２ａに設けた紐通し部２ａ’よりも径大に設けられている。
【００５１】
従って、本実施例は、この絞り紐体７の束ねた部分を引動操作することで、開口部２ａ縮径させることができ、この絞り紐体７を引動した状態で係止部材８を開口部２ａの紐通し部２ａ’に係止させることで、この引動した絞り紐体７が戻り動するのを阻止することができ、つまり、開口部２ａを縮径させた状態を保持することができる。
【００５２】
本実施例は上述のように構成したから、例えばホルダー本体２を最も伸ばした状態（全体長を長くした状態）において最適となる大きなサイズのボトル１に比して、小さなサイズのボトル１をホルダー本体２に収納する場合、ホルダー本体２の周方向に蛇行状に巻回配設される紐体４を引動すると、紐体４は蛇行状からストレート状になろうとするが、この紐体４の動きに合わせてホルダー本体２の軸芯方向に間隔をおいて設けた紐通し部３同士が相対接近移動することになり、よって、ホルダー本体２は軸芯方向に縮動する（図  参照）。
【００５３】
また、例えばその後、大きなサイズのボトル１を収納する場合には、この軸芯方向に縮んだ状態のホルダー本体２を伸動させる。この際、このホルダー本体２の伸動により、ホルダー本体２の軸芯方向に間隔をおいて設けた紐通し部３同士は相対離反移動することになり、この互いに離反する紐通し部３により引っ張られて小さな蛇行状となっていた紐体４は再び大きな蛇行状となり、紐体４を引動すればホルダー本体２を縮動できる状態に戻ることになる。
【００５４】
よって、本実施例によれば、サイズの異なるボトル１を一つで兼用して良好に収納することができ、しかも、このサイズ変更する操作が極めて簡易且つ迅速に行えることになる。
【００５５】
また、本実施例は、ホルダー本体２の胴周部にして、ホルダー本体２の軸芯方向（上下方向）に並設される上方の紐通し部列３Ａと下方の紐通し部列３Ｂとの間の部位Ｐを、素材の変形により折れ曲げ自在となる折れ曲げ自在構造として、全体長が軸芯方向に伸縮自在となるようにホルダー本体２を構成したから、簡易且つ確実に前述した作用効果が発揮されることになる。
【００５６】
また、本実施例は、紐通し部３を、ホルダー本体２の胴周部に該ホルダー本体２を囲むように環状に並設して紐通し部列３Ａ，３Ｂは構成されているから、ホルダー本体２の周囲に配された紐通し部３が移動してホルダー本体２をバランスよく縮動させることになるから、ホルダー本体２を良好に縮動させることができることになる。
【００５７】
また、請求項４，５記載の考案においては、上方の紐通し部列３Ａの紐通し部３と下方の紐通し部列３Ｂの紐通し部３とは、互いにホルダー本体２の周方向に互い違いの位置に設けられ、更に、紐体４は、ホルダー本体２の胴周部全域にして該ホルダー本体２の周方向に巻回状態に設けられているから、より一層ホルダー本体２を良好に縮動させることができることになる。
【００５８】
また、本実施例は、上下の紐通し列部３Ａ，３Ｂは、ホルダー本体２の胴周部にして該ホルダー本体２の軸芯方向の対向位置に被嵌する被嵌体５，５夫々に紐通し部３を並設した構成とし、紐体４を引動した際、ホルダー本体２の軸芯方向に間隔をおいて設けた紐通し部３同士が相対接近移動することに伴い、被嵌体５，５同士が相対接近移動することで、ホルダー本体２の全体長が軸芯方向に縮動するように構成したから、前述した秀れた作用効果が簡易構造で得られ、コスト安にして量産性に秀れることになる。
【００５９】
また、本実施例は、ホルダー本体２は径方向に拡縮自在に設けられ、紐体４を引動した際、ホルダー本体２は紐体４により絞られて縮径するように構成されているから、紐体４の引動によりホルダー本体２の縮動及び縮径が一連の操作の中で行われることになり、軸芯方向のサイズ変更に加え、径方向のサイズ変更にも効率良く対応することができる。
【００６０】
また、本実施例は、紐体４には、紐通し部３に係止することで引動した紐体４が戻り動するのを阻止する係止部材６が設けられ、この係止部材６は紐体４の長さ方向に移動自在に設けられているから、ホルダー本体２を縮動させた状態を確実に維持することができることになる。
【００６１】
また、本実施例は、ホルダー本体２の端部には、ボトル１を出し入れするための開口部２ａが設けられ、この開口部２ａには絞り紐体７が添設状態に巻回され、この絞り紐体７を引動した際、開口部２ａは絞り紐体７に絞られて縮径するように構成されているから、ボトル１に対する良好なホールド状態が得られることになる。
【００６２】
尚、本考案は、本実施例に限られるものではなく、各構成要件の具体的構成は適宜設計し得るものである。
【符号の説明】
【００６３】
Ｐ  部位
１  ボトル
２  ホルダー本体
２ａ  開口部
３  紐通し部
３Ａ  紐通し部列
３Ｂ  紐通し部列
４  紐体
５  被嵌体
６  係止部材
７  絞り紐体
８  係止部材
【図１】
0003172356.tif 000003
【図２】
0003172356.tif 000004
【図３】
0003172356.tif 000005
【図４】
0003172356.tif 000006
【図５】
0003172356.tif 000007